(57)【特許請求の範囲】
【請求項１】
床パネルを支持機構に固定するための床パネル固定具であって、前進・後退が自在な挿通ピンと、該挿通ピンの後端部に当接して前記挿通ピンを前進させるレバー及び前記挿通ピンを後方へ押し戻すコイルを含んで構成されて前記レバーを操作することにより前記挿通ピンを前進・後退させる進退機構とを備えており、この挿通ピンの前進状態において挿通ピンの前端部が床パネルの挿通孔に挿通され、挿通ピンの後退状態において前端部が挿通孔から抜出するように構成されており、床パネル上面より下方に配設されて用いられることを特徴とする床パネル固定具。
【請求項２】
床パネルを支持機構に固定するための床パネル固定具であって、前進・後退が自在な挿通ピンと、該挿通ピンと遊着されたレバーを含んで構成されて前記レバーを操作することにより前記挿通ピンを前進・後退させる進退機構とを備えており、この挿通ピンの前進状態において挿通ピンの前端部が床パネルの挿通孔に挿通され、挿通ピンの後退状態において前端部が挿通孔から抜出するように構成されており、床パネル上面より下方に配設されて用いられることを特徴とする床パネル固定具。
【請求項３】
上記挿通ピンの移動を、この挿通ピンの前進状態においてロックするロック機構が設けられた請求項１又は請求項２に記載の床パネル固定具。
【請求項４】
請求項１から請求項３のいずれか一項に記載の床パネル固定具を支持機構に固定して挿通ピンを前進させ、この挿通ピンの前端部を床パネルの挿通孔に挿通する工程を含む床パネル固定方法。
【発明の詳細な説明】
【０００１】
【発明の属する技術分野】
本発明は、床パネルを支持機構に固定するための床パネル固定具及びこれを用いた床パネル固定方法に関するものである。
【０００２】
【従来の技術】
半導体製造工場用や大型コンピュータ用のクリーンルームには、空調等の目的で、支持脚等の支持機構上に床パネルの一種であるグレーチングが敷設された二重床が採用されている。グレーチングには多数の開口部が形成されており、この開口部を通じて空調等がなされる。この二重床では固定具により支持脚にグレーチングが固定され、さらに半導体製造設備やコンピュータ等の機器がグレーチングに固定される。これにより、地震発生時の機器の転倒が防止される。特に近年、震災による被害防止の気運が高まっており、施工時には前述の固定がなされていなかった既存のクリーンルームにおいても、支持脚とグレーチングとを固定する改装作業が進められつつある。
【０００３】
グレーチングを支持脚に固定する従来方法を、図５を参照しつつ説明する。コンクリート等の床下地Ｇの上に、下台座２０１、支柱２０３及び上台座２０５よりなる支持脚２０７が所定間隔を隔てて多数個設置され、支持機構が構成される。この支持脚２０７の上に、グレーチング２０９が敷設される。通常、一つの支持脚２０７には、隣接する４枚のグレーチング２０９のコーナー部分が載置されるが、図５では説明の便宜上紙面垂直方向奥寄りの２枚のグレーチング２０９のコーナー部分のみが示されている。両グレーチング２０９、２０９のコーナー部分の上には環状の座金２１１が置かれ、その座金２１１の中心から下方に止めネジ２１３が差し込まれる。止めネジ２１３はグレーチング２０９のコーナーを切り欠いて形成されたネジ穴２１５を通過して、下方の上台座２０５にねじ込まれる。この座金２１１と止めネジ２１３とにより、グレーチング２０９が支持脚２０７に固定される。
【０００４】
なお、支持脚２０７の上に縦横に床フレーム（図示されず）を張りめぐらせてこれら支持脚２０７と床フレームとで支持機構を構成し、床フレームにグレーチング２０９が固定される二重床もある。
【０００５】
【発明が解決しようとする課題】
この固定方法では、座金２１１及び止めネジの上面はグレーチング２０９の上面よりもさらに上方に位置する。従って、座金２１１等に作業者が躓いて危険である。また機器の傾きを防ぐためには、座金２１１上に機器を設置することができない。しかも、既に機器が設置された既存のクリーンルームを改装して機器の脚部近傍のグレーチング２０９を固定しようとしても、機器の脚部が妨げとなって座金２１１を設置することができない場合がある。さらに、固定されたグレーチング２０９をメンテナンス等の目的で剥がす場合には、いちいち工具で止めネジ２１３を抜く必要があり、多大の労力を要するという問題がある。
【０００６】
本発明はこれらの問題に鑑みてなされたものであり、床パネルよりも上方に突出することが無く、しかも床パネルを剥がす場合の労力が軽減される床パネル固定具を提供することをその目的とする。
【０００７】
【課題を解決するための手段】
上記した問題を解決するためになされた本発明は、床パネルを支持機構に固定するための床パネル固定具であって、前進・後退が自在な挿通ピンと、該挿通ピンの後端部に当接して前記挿通ピンを前進させるレバー及び前記挿通ピンを後方へ押し戻すコイルを含んで構成されて前記レバーを操作することにより前記挿通ピンを前進・後退させる進退機構とを備えており、この挿通ピンの前進状態において挿通ピンの前端部が床パネルの挿通孔に挿通され、挿通ピンの後退状態において前端部が挿通孔から抜出するように構成されており、床パネル上面より下方に配設されて用いられるものである。また、本発明は、床パネルを支持機構に固定するための床パネル固定具であって、前進・後退が自在な挿通ピンと、該挿通ピンと遊着されたレバーを含んで構成されて前記レバーを操作することにより前記挿通ピンを前進・後退させる進退機構とを備えており、この挿通ピンの前進状態において挿通ピンの前端部が床パネルの挿通孔に挿通され、挿通ピンの後退状態において前端部が挿通孔から抜出するように構成されており、床パネル上面より下方に配設されて用いられるものである。
【０００８】
この床パネル固定具は床パネル上面より下方に配設されて用いられるため、作業者が躓くことが無く、床パネル固定具の上に機器を設置することが可能となり、しかも既設の機器の脚部近傍の床パネルにも適用することができる。そして、挿通ピンの前進により床パネルと支持機構とを固定し、挿通ピンの後退により床パネルと支持機構との固定を解除できるので、床パネルと支持機構との確実な固定を実現しつつ、必要に応じ容易に床パネルを剥がすことができる。
【０００９】
この発明において、ロック機構を設け、挿通ピンの移動をこの挿通ピンの前進状態においてロックするようにすれば、床パネルを支持機構に固定した後に誤って固定が解除されてしまうことがない。
【００１０】
これらの床パネル固定具を用いて床パネルを固定すれば、床パネルと支持機構との固定作業及び固定解除作業を極めて容易とすることができる。
【００１１】
【発明の実施の形態】
以下、図面を参照しつつ本発明を詳説する。
【００１２】
図１（ａ）及び図１（ｂ）は、本発明の一実施形態にかかる床パネル固定具１が示された部分断面図である。図１（ａ）には後述する挿通ピン３が前進した状態が示されており、図１（ｂ）にはこの挿通ピン３が後退した状態が示されている。この床パネル固定具１は、ベースプレート５、このベースプレート５上に設けられた「コ」の字状のフレーム７、挿通ピン３、レバー９、板バネ１１及びコイル１３から構成されている。
【００１３】
挿通ピン３は、前端部１５、中央部１７及び後端部１９を備えており、中央部１７と後端部１９との間は小径とされて環状の掛止溝２１が形成されている。前端部１５の外径は中央部１７の外径よりも若干小さめとされている。また、後端部１９の掛止溝２１寄りには、鍔状のストッパー２３が設けられている。
【００１４】
この挿通ピン３は、フレーム７に形成された前方貫通孔２５及び後方貫通孔２７を貫通している。前方貫通孔２５の内径は、挿通ピン３の前端部１５の外径より若干大きめとされている。また、後方貫通孔２７の内径は、挿通ピン３の後端部１９の外径よりも若干大きめで、且つストッパー２３の外径よりも若干小さめとされている。
【００１５】
レバー９は、ピン２９により回転自在に軸支されている。このレバー９は、ピン２９よりも前方（図１（ａ）における左方）の操作部３１と、この操作部３１に連続する当接部３３とを備えている。当接部３３は、操作部３１よりも図１（ａ）における紙面垂直方向に幅広とされている。当接部３３は、挿通ピン３の後端部１９と当接している。
【００１６】
板バネ１１は、前方垂下部３５、この前方垂下部３５に連続する水平部３７、この水平部３７と垂直に交わる後方垂下部３９及びこの後方垂下部３９の上端に形成された押圧部４１を備えている。後方垂下部３９には、挿通ピン３の中央部１７の外径よりも若干大きめの掛止孔４３が形成されている。挿通ピン３は、この掛止孔４３及び前方垂下部３５に形成された孔を貫通している。
【００１７】
コイル１３は、挿通ピン３の前端部１５の外周に巻き付けられている。コイル１３の後端は、挿通ピン３の中央部１７の前端に当接している。コイル１３の前端は、板バネ１１の前方垂下部３５に当接している。コイル１３は圧縮状態で取り付けられている。
【００１８】
この床パネル固定具１において挿通ピン３を前進させるには、図１（ｂ）に示された状態から、レバー９の操作部３１をＲ１で示される矢印方向に操作する。すると、レバー９はピン２９を中心に回転し、当接部３３が挿通ピン３の後端部１９を前方に押し出す。これにより、挿通ピン３が前進する。同時にコイル１３が圧縮され、このコイル１３が板バネ１１の前方垂下部３５を押圧する。前方垂下部３５は鉛直方向よりも若干斜めに形成されているので、押圧を受けると板バネ１１全体が図１（ａ）における反時計回り方向に回転する。すると、後方垂下部３９が略上方へ移動し、この後方垂下部３９に設けられた掛止孔４３と挿通ピン３の掛止溝２１が掛止する。この掛止により、挿通ピン３の移動がロックされる。
【００１９】
この床パネル固定具１において挿通ピン３を後退させるには、図１（ａ）に示された状態から、板バネ１１の押圧部４１を下方に押圧する。すると、板バネ１１の後方垂下部３９が下方に移動し、掛止溝２１と掛止孔４３との掛止が解除される。挿通ピン３はコイル１３により後方に押されているので、後方に後退する。挿通ピン３に設けられたストッパー２３がフレーム７の内壁に当接した段階で挿通ピン３の後退が阻止され、挿通ピン３のフレーム７からの脱落が防止される。
【００２０】
図２は、図１（ａ）及び図２（ｂ）に示された床パネル固定具１を用いて床パネルの一種であるグレーチング４５を支持脚４７に固定する様子が示された部分断面図である。
【００２１】
この支持脚４７は、下台座４９、支柱５１、上台座５３、ステー５５及びナット５７を備えている。下台座４９は、図示されないボルト等によって、床下地Ｇに固定されている。上台座５３は平板部５９とソケット部６１とを備えており、ソケット部６１の内周には雌ねじ加工が施されている。そして、ソケット部６１には支柱５１が螺入されている。ソケット部６１への支柱５１の螺入の量を変更することにより、上台座５３の高さが調製される。上台座５３は、ナット５７によって支柱５１に固定されている。ステー５５は、支柱５１から両側上方に伸びるアーム６３と、このアーム６３の上端に設けられた固定板６５とから構成されている。
【００２２】
上台座５３の平板部５９上には、グレーチング４５が載置されている。通常、１つの平板部５９には４枚のグレーチング４５が載置されるが、図２では、説明の便宜上１枚のグレーチング４５のみが図示されている。このグレーチング４５は、左右両端のエンドバー６７（但し図２では左端のエンドバー６７のみが示されている）、この２本のエンドバー６７間にエンドバー６７と平行に多数設けられた横バー６９及びエンドバー６７と垂直な多数の縦バー７１から構成されている。そして、縦バー７１と横バー６９とに囲まれた領域が、開口部となっている。図２では、エンドバー６７が平板部５９と当接することにより、平板部５９上にグレーチング４５が載置されている。そして、エンドバー６７に最も近い横バー６９に、挿通孔７３が形成されている。この挿通孔７３は、図２における右側からドリル等の切削工具によって横バー６９に穿設されてもいいし、図２における左側からエンドバー６７を貫通した切削工具によって穿設されてもいい。
【００２３】
ステー５５の固定板６５上には、図示されないボルト等によって床パネル固定具１が固定されている。図２では、挿通ピン３は前進しており、この挿通ピン３の前端部１５が挿通孔７３に挿通している。この状態では、グレーチング４５が挿通ピン３によって床パネル固定具１に固定されており、床パネル固定具１がステー５５によって支持脚４７に固定されているので、結果としてグレーチング４５が支持脚４７に固定される。この状態でレバー９を操作し、挿通ピン３を後退させて挿通ピン３の前端部１５を横バー６９の挿通孔７３から抜出すると、グレーチング４５と支持脚４７との固定が解除される。
【００２４】
挿通ピン３が前進した状態では、床パネル固定具１の全体がグレーチング４５の上面よりも下方に位置する。従って、作業者が躓くことが無く、床パネル固定具１の上に機器を設置することが可能となり、しかも既設の機器の脚部近傍のグレーチング４５にも適用することができる。一方、何らかの理由により挿通ピン３が後退してしまった場合は、レバー９がグレーチング４５の上面よりも上方に位置することとなる。これにより、グレーチング４５と支持脚４７との固定の解除を作業者に知らせることができる。
【００２５】
図３は、図１（ａ）及び図２（ｂ）に示された床パネル固定具１を用いて床パネルの一種であるグレーチング４５を床フレームに固定する様子が示された部分断面図である。図３において、符号７４は床フレームの一種であるハット鋼であり、符号７５は段付きプレートである。
【００２６】
段付きプレート７５は、中央平板部７７と、この中央平板部７７の両側に中央平板部７７よりも一段低い位置で設けられた側方平板部７９とを備えている。また、中央平板部７７の下側からは、２枚の脚板８１が垂下されている。２枚の脚板８１の間隔はハット鋼７４の幅とほぼ同等とされており、この脚板８１でハット鋼７４を挟むことにより、ハット鋼７４上に段付きプレート７５が固定されている。
【００２７】
中央平板部７７上には、グレーチング４５が載置されている。通常、１つの中央平板部７７には４枚のグレーチング４５が載置されるが、図３では、説明の便宜上１枚のグレーチング４５のみが図示されている。このグレーチング４５の構成は、図２に示されたものと同一である。図３では、エンドバー６７が中央平板部７７と当接することにより、中央平板部７７上にグレーチング４５が載置されている。中央平板部７７とエンドバー６７との間に、ゴムシート等の緩衝材を設けてもよい。エンドバー６７に最も近い横バー６９には、挿通孔７３が形成されている。
【００２８】
側方平板部７９上には、図示されないボルト等によって床パネル固定具１が固定されている。図３では、挿通ピン３は前進しており、この挿通ピン３の前端部１５が挿通孔７３に挿通している。この状態では、グレーチング４５が挿通ピン３によって床パネル固定具１に固定されており、床パネル固定具１が段付きプレート７５によって床フレームであるハット鋼７４に固定されているので、結果としてグレーチング４５が床フレームに固定される。この状態でレバー９を操作し、挿通ピン３を後退させて挿通ピン３の前端部１５を横バー６９の挿通孔７３から抜出すると、グレーチング４５と床フレームとの固定が解除される。
【００２９】
図４（ａ）及び図４（ｂ）は、本発明の他の実施形態にかかる床パネル固定具８３が示された部分断面図である。図４（ａ）には挿通ピン８５が前進した状態が示されており、図４（ｂ）にはこの挿通ピン８５が後退した状態が示されている。この床パネル固定具８３は、ベースプレート８７、このベースプレート８７上に設けられた「コ」の字状のフレーム８９、挿通ピン８５、レバー９１、板バネ９３及び可動ピン９５から構成されている。
【００３０】
挿通ピン８５は、前端部９７及び本体部９９を備えている。前端部９７の外径は本体部９９の外径よりも若干小さめとされている。本体部９９の中央寄りには、突起部１０１が形成されている。この挿通ピン８５は、フレーム８９に形成された前方貫通孔１０３及び後方貫通孔１０５を貫通している。前方貫通孔１０３の内径は、挿通ピン８５の前端部９７の外径より若干大きめとされている。また、後方貫通孔１０５の内径は、挿通ピン８５の本体部９９の外径よりも若干大きめとされている。
【００３１】
レバー９１は、ピン１０７により回転自在に軸支されている。このレバー９１の中央寄りには、長穴１０９が形成されている。レバー９１の長穴１０９よりも上方は、操作部１１１である。レバー９１の下端は２カ所が切り欠かれており、これにより第一凹部１１３、中央凸部１１５及び第二凹部１１７が形成されている。長穴１０９には挿通ピン８５の突起部１０１が挿入されており、これによりレバー９１と挿通ピン８５とが遊着されている。
【００３２】
板バネ９３は略「つ」の字状であり、フレーム８９の内部に装填されている。板バネ９３には、この一部が湾曲されることによりピン受け部１１９が形成されている。そして、このピン受け部１１９とレバー９１の下端との間に、可動ピン９５が配設されている。可動ピン９５は上下方向に移動自在であり、板バネ９３によってレバー９１に押圧されている。
【００３３】
この床パネル固定具８３において挿通ピン８５を前進させるには、図４（ｂ）に示された状態から、レバー９１の操作部１１１をＲ２で示される矢印方向に操作する。すると、レバー９１はピン１０７を中心に反時計回り方向に回転する。この回転運動が突起部１０１によって挿通ピン８５に伝達され、挿通ピン８５が前進する。レバー９１の回転中、このレバー９１の下端の可動ピン９５との当接箇所は、第二凹部１１７から中央凸部１１５を経て第一凹部１１３へと移動する。そして、挿通ピン８５が前進を終えた段階で、第一凹部１１３と可動ピン９５とが噛み合い、挿通ピン８５の移動がロックされる。挿通ピン８５の前端部９７は、床パネルの挿通孔に挿通される。この状態では、床パネルが挿通ピン８５によって床パネル固定具８３に固定されており、床パネル固定具８３が支持機構に固定されているので、結果として床パネルが支持機構に固定される。
【００３４】
この床パネル固定具８３において挿通ピン８５を後退させるには、図４（ａ）に示された状態から、レバー９１の操作部１１１をＲ３で示される矢印方向に操作する。すると、レバー９１はピンを中心に時計回り方向に回転する。この回転運動が突起部１０１によって挿通ピン８５に伝達され、挿通ピン８５が後退する。そして、挿通ピン８５の前端部９７が床パネルの挿通孔から抜出し、床パネルと支持機構との固定が解除される。
【００３５】
この床パネル固定具８３では、レバー９１が大幅に上方に移動することがない。従って、挿通ピン８５が前進状態であっても後退状態であっても、床パネル固定具８３全体を床パネルの上面より下方に位置させることができる。
【００３６】
以上、クリーンルームを例にとり本発明を説明したが、本発明の床パネル固定具はクリーンルームに限られず、あらゆる用途の二重床に適用可能である。また、本発明の床パネル固定具によって固定される床パネルはグレーチングには限られず、繊維強化コンクリートパネル（いわゆるＧＲＣ）、アルミダイキャストパネル等の全ての床パネルに適用可能である。
【００３７】
【発明の効果】
以上説明したように、本発明の床パネル固定具は床パネルよりも上方に突出することがほとんど無い。従って、作業者が躓くことがなく、床パネル固定具の上方に機器を設置しても機器が傾くことがなく、しかも既に機器が設置されている場合でもその機器の脚部近傍に床パネル固定具を設置することができるようになる。さらに、本発明の床パネル固定具は必要に応じ容易に支持機構から脱着できるので、容易に床パネルを剥がすことが可能となる。
【図面の簡単な説明】
【図１】図１（ａ）及び図１（ｂ）は、本発明の一実施形態にかかる床パネル固定具が示された部分断面図である。図１（ａ）は挿通ピンが前進した状態が示されたものであり、図１（ｂ）はこの挿通ピンが後退した状態が示されたものである。
【図２】図２は、図１（ａ）及び図２（ｂ）に示された床パネル固定具を用いてグレーチングを支持脚に固定する様子が示された部分断面図である。
【図３】図３は、図１（ａ）及び図２（ｂ）に示された床パネル固定具を用いてグレーチングを床フレームに固定する様子が示された部分断面図である。
【図４】図４（ａ）及び図４（ｂ）は、本発明の他の実施形態にかかる床パネル固定具が示された部分断面図である。図４（ａ）は挿通ピンが前進した状態が示されたものであり、図４（ｂ）はこの挿通ピンが後退した状態が示されたものである。
【図５】図５は、従来の床パネル固定方法が示された正面図である。
【符号の説明】
１、８３・・・床パネル固定具
３、８５・・・挿通ピン
５、８７・・・ベースプレート
７、８９・・・フレーム
９、９１・・・レバー
１１、９３・・・板バネ
１３・・・コイル
１５、９７・・・前端部
１７・・・中央部
１９・・・後端部
２１・・・掛止溝
２３・・・ストッパー
２５、１０３・・・前方貫通孔
２７、１０５・・・後方貫通孔
２９、１０７・・・ピン
３１、１１１・・・操作部
３３・・・当接部
３５・・・前方垂下部
３７・・・水平部
３９・・・後方垂下部
４１・・・押圧部
４３・・・掛止孔
４５・・・グレーチング
４７・・・支持脚
７３・・・挿通孔
７４・・・ハット鋼
７５・・・段付きプレート
９５・・・可動ピン
９９・・・本体部
１０１・・・突起部
１０９・・・長穴
１１３・・・第一凹部
１１５・・・中央凸部
１１７・・・第二凹部
１１９・・・ピン受け部
【図１】
0004129316.tif 000002
【図２】
0004129316.tif 000003
【図３】
0004129316.tif 000004
【図４】
0004129316.tif 000005
【図５】
0004129316.tif 000006